(57)【要約】【課題】収容する被洗濯物の量に合わせて、袋体の収容可能な容積を調整する。【解決手段】ランドリーネット１ａを、衣類等の被洗濯物を収容する袋体３と、被洗濯物を袋体３内に対して出し入れするための開閉用ファスナー２０と、袋体３の収容容積を調整するための調整用ファスナーとを有するように構成する。袋体３を、中央部が幅広く膨らみ両端部が尖る葉型に裁断された透水性を有する網目生地等の布片４を８枚組み合わせ、隣接する布片４の円弧辺を相互に付け合わせることによって、８本の第１〜第８付け合わせ部１１〜１８を有するほぼ丸球状に立体形成する。開閉用ファスナー２０を第１付け合わせ部１１に、第１調整用ファスナー３１を第２及び第４付け合わせ部１２，１４に、第２調整用ファスナー３２を第６及び第８付け合わせ部１６，１８にそれぞれ設ける。【選択図】  図１
2007029185.tif 000002
【特許請求の範囲】
【請求項１】
透水性を有する布体で２極点を備える球状に立体形成され、被洗濯物を収容する袋体と、
２極点を結ぶ一の経線に沿うように設けられ、袋体に対して被洗濯物を出し入れする開閉用ファスナーと、
一対のファスナーテープが、所定間隔を有する２本の他の経線にそれぞれ沿うように袋体の表面で離れて設けられ、両ファスナーテープを閉じた状態では、両ファスナーテープで囲まれた部分を袋体内に収容して袋体の収容容積を縮小させる調整用ファスナーと、
を有してなる、
ことを特徴とするランドリーネット。
【請求項２】
調整用ファスナーが、
開閉用ファスナーを設けた一の経線に対して、線対称位置に各１本設けられてなる、
請求項１に記載のランドリーネット。
【請求項３】
被洗濯物の収容空間を分割する分割布体を、２極点を結ぶ経線に沿って袋体内に設け、
分割した収容空間毎に開閉用ファスナーを設けてなる、
こと特徴とする請求項１又は２に記載のランドリーネット。
【発明の詳細な説明】
【技術分野】
【０００１】
本発明は、衣類等の被洗濯物を収容するランドリーネットに関する。
【背景技術】
【０００２】
従来、衣類等の被洗濯物を収容する袋体として、例えば、特許文献１の洗濯ネットや特許文献２のランドリーネット等が知られている。
【０００３】
しかしながら、特許文献１、２のものでは、被洗濯物を収容する袋体の容積が所定量に固定されているため、日毎に変化する被洗濯物の量に対応して適正な収容容積を確保し難く、袋体の収容容積に対して被洗濯物の量が多い場合には、袋体内における被洗濯物の移動量が小さくなるため洗濯及び乾燥効率が悪くなる点で、また被洗濯物の量が少ない場合には、被洗濯物の移動量が大きくなるため型くずれを起こし易くなり生地等を痛め易い点で問題があった。
【０００４】
このような問題点を解消するものとして、収納容積を変えるために伸縮調整自在とした特許文献３の洗濯用ネット袋が案出されている。
【０００５】
【特許文献１】実開平０６−０２４７００号公報
【特許文献２】特開平０９−１３１４８９号公報
【特許文献３】特開２００４−２４２８１８号公報
【発明の開示】
【発明が解決しようとする課題】
【０００６】
しかしながら、一般的な洗濯機や乾燥機では、その構造上、被洗濯物が槽内で円運動するため、特許文献１、２のように袋体が立方体であったり、特許文献３のようにドラム状の場合には、袋体内の角部に被洗濯物が偏り移動が制限されることが多く、その場合には、袋体内における被洗濯物の密度を均一に保つ事ができずに、洗濯及び乾燥の仕上がりムラが生じ易い点で問題があった。
【０００７】
そこで、本発明は上記問題点に鑑み、収容する被洗濯物の量に合わせて、袋体の収容可能な収容容積を調整でき、かつ袋体内での被洗濯物の偏りを無くして洗濯及び乾燥の仕上がりムラが生じ難いランドリーネットを提供することを課題とする。
【課題を解決するための手段】
【０００８】
上記課題を解決するため、請求項１の発明に係るランドリーネットは、透水性を有する布体で２極点を備える球状に立体形成され、被洗濯物を収容する袋体と、２極点を結ぶ一の経線に沿うように設けられ、袋体に対して被洗濯物を出し入れする開閉用ファスナーと、一対のファスナーテープが、所定間隔を有する２本の他の経線にそれぞれ沿うように袋体の表面で離れて設けられ、両ファスナーテープを閉じた状態では、両ファスナーテープで囲まれた部分を袋体内に収容して袋体の収容容積を縮小させる調整用ファスナーと、を有してなるように構成される。
【０００９】
請求項２の発明に係るランドリーネットは、調整用ファスナーが、開閉用ファスナーを設けた一の経線に対して、線対称位置に各１本設けられてなるように構成される。
【００１０】
請求項３の発明に係るランドリーネットは、被洗濯物の収容空間を分割する分割布体を、２極点を結ぶ経線に沿って袋体内に設け、分割した収容空間毎に開閉用ファスナーを設けてなるように構成される。
【発明の効果】
【００１１】
請求項１の発明によれば、収容する被洗濯物の量に合わせて、袋体の収容可能な収容容積を調整でき、かつ袋体内での被洗濯物の偏りを極力無くして洗濯及び乾燥の仕上がりムラを生じ難くできる。
【００１２】
請求項２の発明によれば、被洗濯物の収容容積を段階的に細かく調整できる。
【００１３】
請求項３の発明によれば、分割布体で分割したそれぞれの収容空間に被洗濯物を収容した場合であっても、仕分けした被洗濯物の量に応じて分割布体を袋体内で移動させることができ、袋体内における被洗濯物の密度を均一に維持することができ、被洗濯物を仕分けした状態で洗濯及び乾燥効率を向上できる。
【発明を実施するための最良の形態】
【００１４】
以下、本発明実施の形態を図面に基づいて説明する。図１は、本発明に係るランドリーネットの一実施形態を示し、（ａ）は正面図、（ｂ）は右側面図であり、図２は、本ランドリーネットの収容容積を小さく調整した状態を示す説明図である。
本実施形態において、ランドリーネット１ａは、衣類等の被洗濯物を収容する袋体３を備えて構成されている。その袋体３は、中央部が幅広く膨らみ両端部が尖る葉型に裁断された透水性を有する網目生地等の布片４を８枚組み合わせ、隣接する布片４の円弧辺を相互に付け合わせることによって、８本の第１〜第８付け合わせ部１１〜１８を経線として各経線の両端における交点位置に２極点を備えるように、ほぼ丸球状に立体形成されている。
【００１５】
袋体３の第１付け合わせ部１１には、その一の経線に沿うように、袋体３内に対して被洗濯物を出し入れするための開閉用ファスナー２０が１本設けられている。その開閉用ファスナー２０は、開閉操作用の引き手２４と第１付け合わせ部１１にほぼ一致する長さの左右一対のファスナーテープ２５，２５とを備え、２枚の布片４，４の隣接する各円弧辺に、一対のファスナーテープ２５，２５の各側が縫い付けられている。第１付け合わせ部１１は、開閉用ファスナー２０によって開閉可能に付け合わされている。その他の第２〜第８付け合わせ部１２〜１８は、それぞれの布片４の隣接する円弧辺を縫い付けることによって、他の７本の経線となるように閉じられている。また袋体３の２極点には、ランドリーネットを持ち運ぶ際や、開閉ファスナー２０を開閉操作する際に使用される環状の持ちベルト５が１つずつ縫着されている。
【００１６】
さらに、袋体３には、袋体３の収容容積を調整するための調整用ファスナーが、開閉用ファスナー２０を設けた第１付け合わせ部１１に対して、線対称位置に各１本設けられている。１本目の第１調整用ファスナー３１は、一対のファスナーテープ２６，２６が、所定の間隔を有する２本の経線、すなわち第２及び第４付け合わせ部１２，１４にそれぞれ沿うように袋体３の表面で離れて縫い付けられている。また２本目の第２調整用ファスナー３２は、一方側のファスナーテープ２７が第８付け合わせ部１８に沿って縫い付けられ、他方側のファスナーテープ２７が第６付け合わせ部１６に沿って縫い付けられている。
【００１７】
上記構成のランドリーネット１ａにおいて、被洗濯物を収容する際には、例えば第１及び第２調整用ファスナー３１，３２を開いた状態にして袋体３を丸球状にし収容空間を確保した上で、持ちベルト５を利用して開閉用ファスナー２０を開き、開口した第１付け合わせ部１１から被洗濯物を収容する。
【００１８】
丸球状の収容容積に対して収容する被洗濯物の量が少ない等、被洗濯物の収容密度が適正でない場合は、第１及び第２調整用ファスナー３１，３２を閉じたり、第１又は第２調整用ファスナー３１，３２の何れか一方を閉じることによって、両ファスナーテープ２６，２６または両ファスナーテープ２７，２７の少なくとも一方で囲まれた部分、すなわち、少なくとも２枚の布体４，４を袋体３内に収容して、袋体３を丸球状から扁平形状に変更して収容容積を縮小し適正に調整する。
【００１９】
そして、開閉用ファスナー２０を閉じてランドリーネット１ａに収容された被洗濯物は、持ちベルト５を利用して洗濯機や乾燥機まで持ち運ばれ、洗濯又は乾燥される。
【００２０】
このランドリーネット１ａによれば、袋体３をほぼ丸球状に立体形成したので、洗濯機の水槽や乾燥機のドラム槽の円運動に合わせて、例えば従来のような立方体形状やドラム状の袋体の角部に被洗濯物が偏ったり移動が制限されることなく、袋体内における被洗濯物の自由度をより高い状態で確保可能となる。よって、洗濯及び乾燥の仕上がりムラを生じ難くできる。加えて、第１及び第２調整用ファスナー３１，３２を設けたので、収容する被洗濯物の量に合わせて、袋体３の収容容積を適正に調整でき、洗濯及び乾燥効率を向上できる。また、第１及び第２調整用ファスナー３１，３２のように、開閉用ファスナー２０を設けた経線に対して線対称位置に調整用ファスナーを各１本設けたので、被洗濯物の収容容積を段階的に細かく調整できる。また持ちベルト５を設けたので、ランドリーネットの持ち運びや、開閉用ファスナーや調整ファスナーの開閉操作を容易にでき、未使用時にはフック等に掛ける等、取り扱いが容易になる。
【００２１】
次に、図３は、本発明に係るランドリーネットの他の実施形態を示す正面図である。このランドリーネット１ｂは、図１のランドリーネット１ａと同様に、８枚の布体４によってほぼ丸形状に立体形成され、第１付け合わせ部１１に設けた第１開閉用ファスナー２１に加えて、同様の第２開閉用ファスナー２２を第５付け合わせ部１５に縫い付けることによって、第１及び第５付け合わせ部１１，１５を開閉可能に付け合わせて構成されている。尚、図３では、布体４の網目は省略している。さらに、袋体３内には、２極点を結ぶ経線、すなわち第３及び第７付け合わせ部１３，１７に沿って、被洗濯物の収容空間を分割する分割布体４１が設けられている。分割布体４１は、透水性を有する網目生地をほぼ円形状に裁断してなり、全周端が第３及び第７付け合わせ部１３，１７に縫い付けられた状態で、十分なたるみを備えるように構成されている。その他の構成は、図１のランドリーネット１ａと同様である。
【００２２】
上記構成のランドリーネット１ｂにおいて、被洗濯物を収容する際には、図１のランドリーネット１ａと同様に第１開閉用ファスナー２１を利用する。この時、十分にたるみを持たせた分割布体４１は、第１開閉用ファスナー２１側から収容された被洗濯物に押されることによって、袋体３の内側で第３及び第７付け合わせ部１３，１７よりも第２開閉用ファスナー２２側の半円球部分に重なり合う。そして、袋体３は、ほぼ丸球状の収容空間を確保する。また第１及び第２調整用ファスナー３１，３２を利用して袋体３の収容容積を調整する。
【００２３】
さらに、例えば、被洗濯物を仕分けした状態で洗濯及び乾燥する場合には、第１及び第２開閉用ファスナー２１，２２を利用して、分割布体４１で分割した２つの収容空間に対してそれぞれ被洗濯物を出し入れする。この時、分割布体４１は、第１及び第２開閉用ファスナー２１，２２側から収容された被洗濯物によって両側から押されて袋体３内を移動し、仕分けした被洗濯物の量に応じて適正に分割した収容空間を袋体３内に確保する。
【００２４】
このランドリーネット１ｂによれば、袋体３内に分割布体４１を設けたので、分割布体４１で分割したそれぞれの収容空間に被洗濯物を収容した場合であっても、仕分けした被洗濯物の量に応じて適正に分割した収容空間を袋体３内に確保するように、分割布体４１を袋体３内で移動させることができ、袋体３内における被洗濯物の密度を均一に維持することが可能となる。よって、被洗濯物を仕分けした状態で洗濯及び乾燥効率を向上できる。
【００２５】
尚、本発明は上記実施形態に限定されるものではなく、以下に例示するように、本発明の趣旨を逸脱しない範囲で各部の形状並びに構成を適宜に変更して実施することも可能である。
（１）袋体は、８枚の布体に限らず、袋体を球状に立体形成するものであれば、他の形状や枚数の布体を組み合わせたり、１本の帯布を立体縫製する等して構成しても良い。
（２）開閉用ファスナー及び調整用ファスナーは、第１〜第８付け合わせ部の長さよりも短くしても良い。また第１〜第８付け合わせ部に限らず、他の付け合わせ部に設けたり、隣接する付け合わせ部の中間位置を通る経線に沿って設けたり、付け合わせ部に対して斜めや直角に交差するように設けることもできる。
（３）調整用ファスナーは、２本に限らず、他の本数設けても良い。
（４）持ちベルトは、２極点に限らず、何れか一個所にのみ設けても良い。
（５）第１〜第８付け合わせ部、開閉用ファスナー及び調整用ファスナーは、縫着に限らず、溶着等しても良い。
（６）分割布体は、収容空間を２分割するものに限らず、３分割等するように設けても良い。この時には、袋体には分割した収容空間毎に被洗濯物を出し入れするファスナーを設ける。
【図面の簡単な説明】
【００２６】
【図１】本発明に係るランドリーネットの一実施形態を示す、（ａ）は正面図、（ｂ）は右側面図である。
【図２】図１のランドリーネットの調整状態を示す右側面図である。
【図３】本発明に係るランドリーネットの他の実施形態を示す正面図である。
【符号の説明】
【００２７】
１ａ，１ｂ・・ランドリーネット、３・・袋体、４・・布体、５・・持ちベルト、１１〜１８・・第１〜第８付け合わせ部（経線）、２０・・開閉用ファスナー、２１・・第１開閉用ファスナー、２２・・第２開閉用ファスナー、２４・・引き手、２５，２６，２７・・ファスナーテープ、３１・・第１調整用ファスナー、３２・・第２調整用ファスナー、４１・・分割布体。
【図１】
2007029185.tif 000003
【図２】
2007029185.tif 000004
【図３】
2007029185.tif 000005